(57)【要約】【課題】計器内部への塵芥の侵入を防止出来、回路基板上のスペース効率を向上させることが出来る組み付け性が良好な計器用ムーブメントの取付構造を提供する。【解決手段】係止アーム部１４，１４のうち、係止爪部１５，１５が形成された外側面１４ｂ，１４ｂに対して、反対側の内側面１４ｃ，１４ｃに、挿入時の前記係止孔２４ｂ，２４ｂ周縁との干渉を回避する傾斜面部１４ｄ，１４ｄが各々形成されている。  また、この計器用回路基板４の係止孔２４ｂ，２４ｂは、従来の係止孔よりも小さくなるように設定されている。  これらの係止孔２４ｂ，２４ｂと、係止アーム部１４，１４との間に形成される間隙量を減少させることが出来、計器内部への塵芥の侵入を防止出来る。【選択図】図１
2007316015.tif 000002
【特許請求の範囲】
【請求項１】
弾性変形可能な係止アーム部の先端に、係止爪部が形成されて、ケーシング部材から一体となるように延設すると共に、該回路基板に開口形成された係止孔に、前記係止アーム部を挿通させて、前記係止爪部を係止孔周縁に係止することにより、該ケーシング部材を、回路基板に装着する計器用ムーブメントの取付構造であって、
前記係止アーム部のうち、係止爪部が形成された側面に対して反対側の側面に、挿入時の前記係止孔周縁との干渉を回避する傾斜面部を形成することを特徴とする計器用ムーブメントの取付構造。
【請求項２】
前記係止アーム部を、前記ケーシング部材の側面部に沿って延設すると共に、該係止アーム部が、弾性変形により当接するストッパ部を前記ケーシング部材の側面部に形成して、前記傾斜面部の傾斜角度を、前記係止孔に、該係止アーム部が挿入される際に、該係止孔の周縁に、該傾斜面部が摺接して、挿入されると共に、前記ストッパ部から該アーム部が離間方向に弾性変形可能に設定されていることを特徴とする請求項１記載の計器用ムーブメントの取付構造。
【発明の詳細な説明】
【技術分野】
【０００１】
本発明は、主に、車両に用いられる計器用ムーブメントの取付構造に関するものである。
【背景技術】
【０００２】
従来、図１１乃至図１４に示すような計器用ムーブメントの取付構造が知られている（例えば、特許文献１等参照）。
【０００３】
まず、構成から説明すると、この従来の計器用ムーブメントの取付構造では、車両に搭載される計器内に設けられた計器用回路基板４の裏面側４ａに、ムーブメントの筐体を構成するケーシング部材１が、装着されている。
【０００４】
このケーシング部材１内には、電力の供給により、回転駆動する図示省略の電動機と、この電動機の回転駆動力を減速する減速ギヤ群と、ファイナルギヤを介して、この回転駆動力を、指針９に伝達する回動軸部材８等とが設けられている。
【０００５】
また、このケーシング部材１は、拝合により略密閉されるロアケース２及びアッパケース３とを有して主に構成されている。
【０００６】
このうち、アッパケース３側の底面部近傍からは、ロアケース２方向に向けて弾性変形可能な係止アーム部５，５が一対、このアッパケース３と一体にとなるように、前記ロアケース２の側面部２ａ，２ａに沿って延設されている。
【０００７】
これらの係止アーム部５，５の先端には、各々係止爪部６，６が形成されている。
【０００８】
また、前記ロアケース２の側面部２ａ，２ａには、前記係止アーム部５，５と対向する位置に、この係止アーム部５，５の弾性変形により、各内側面５ａ，５ａが、当接されるストッパ部７，７が、突設形成されている。
【０００９】
次に、この従来の計器用ムーブメントの取付構造の作用について説明する。
【００１０】
この従来の計器用ムーブメントの取付構造では、前記計器用回路基板４に開口形成された一対の係止孔４ｂ，４ｂに、裏面側４ａから前記係止アーム部５，５を各々挿通させて、前記係止爪部６，６を係止孔４ｂ，４ｂ周縁に係止することにより、このケーシング部材１が、計器用回路基板４の裏面側４ａに装着される。
【００１１】
この際、図１２に示すように、前記係止アーム部５，５と対向する位置に、突設形成されている前記ストッパ部７，７に、前記係止アーム部５，５の各内側面５ａ，５ａが、当接されて、一定寸法以上の回動軸部材８方向への移動が阻止されるので、前記係止アーム部５，５の先端部５ｂ，５ｂ間が、傾倒により近接しすぎて、係止孔４ｂ，４ｂ周縁の裏面側に当接してしまう等により、挿入不能となる虞が減少されている。
【特許文献１】特許第３６４４４０６号公報（００１６段落乃至００３９段落、図１、図２）
【発明の開示】
【発明が解決しようとする課題】
【００１２】
このように構成された従来の計器用ムーブメントの取付構造では、係止アーム部５，５の係止爪部６，６が、前記係止孔４ｂ，４ｂに容易に挿通されるように、前記係止孔４ｂ，４ｂの大きさが大きめに設定されている。
【００１３】
このため、図１３に示されるように、前記計器用回路基板４に形成された係止孔４ｂ，４ｂに、前記係止アーム部５，５の係止爪部６，６が係止された状態で、図１４に示すように、これらの係止孔４ｂ，４ｂと、前記係止アーム部５，５との間に間隙が、形成されてしまう。
【００１４】
このような間隙部分からは、ゴミ、布、繊維等のコンタミや、この係止アーム部５又は、前記係止爪部６が、係止孔４ｂ周縁に摺接される際に発生する合成樹脂材料の摩耗粉等の塵芥が、計器内部に侵入してしまう虞があった。
【００１５】
また、前記係止孔４ｂ，４ｂの大きさが大きい場合、図１４中、二点鎖線で示すように、回動軸部材８と、係止孔４ｂ，４ｂとの間のスペースＡ部が、狭くなり、例えば、照明用のＬＥＤ等を計器用回路基板４上に装着することが困難となってしまうといった問題もあった。
【００１６】
そこで、この発明は、計器内部への塵芥の侵入を防止出来、回路基板上のスペース効率を向上させることが出来る組み付け性が良好な計器用ムーブメントの取付構造を提供することを課題としている。
【課題を解決するための手段】
【００１７】
上記目的を達成するために、請求項１に記載された発明は、弾性変形可能な係止アーム部の先端に、係止爪部が形成されて、ケーシング部材から一体となるように延設すると共に、該回路基板に開口形成された係止孔に、前記係止アーム部を挿通させて、前記係止爪部を係止孔周縁に係止することにより、該ケーシング部材を、回路基板に装着する計器用ムーブメントの取付構造であって、
前記係止アーム部のうち、係止爪部が形成された側面に対して反対側の側面に、挿入時の前記係止孔周縁との干渉を回避する傾斜面部を形成する計器用ムーブメントの取付構造を特徴としている。
【００１８】
また、請求項２に記載されたものは、前記係止アーム部を、前記ケーシング部材の側面部に沿って延設すると共に、該係止アーム部が、弾性変形により当接するストッパ部を前記ケーシング部材の側面部に形成して、前記傾斜面部の傾斜角度を、前記係止孔に、該係止アーム部が挿入される際に、該係止孔の周縁に、該傾斜面部が摺接して、挿入されると共に、前記ストッパ部から該アーム部が離間方向に弾性変形可能に設定されている請求項１記載の計器用ムーブメントの取付構造を特徴としている。
【発明の効果】
【００１９】
このように構成された請求項１に記載されたものは、前記係止アーム部のうち、係止爪部が形成された側面に対して反対側の側面に形成された傾斜面部によって、挿入時には、前記係止孔周縁に、該傾斜面部が摺接されながら、円滑に挿入されて、該係止孔の周縁部に干渉したり、引っかかる虞が、回避される。
【００２０】
このため、該係止孔を比較的小さく設定しても、組み付け性を良好なものとすることが出来るので、該係止孔に、前記係止アーム部の係止爪部が係止された状態で、該係止孔と、前記係止アーム部との間に形成される間隙量を減少させることが出来、計器内部への塵芥の侵入を防止出来る。
【００２１】
また、請求項２に記載されたものは、前記傾斜面部の傾斜角度が、前記係止孔に、該係止アーム部が挿入される際に、該係止孔の周縁に、該傾斜面部が摺接して、挿入されると共に、前記ストッパ部から該アーム部が離間方向に弾性変形可能に設定されている。
【００２２】
このため、例えば、機械組や、或いは、作業者による手組で、組み立て作業を行う際に、前記係止アーム部を、弾性変形させて、前記ストッパ部に当接させるように把持しても、挿入時に、前記係止孔の周縁に、該傾斜面部が摺接して、該ストッパ部から該アーム部が離間方向に弾性変形しながら挿入可能である。
【００２３】
従って、機械組や、或いは、作業者による手組の何れの方法で、同様に組み付けることが出来、更に、組み付け性を良好なものとすることができる。
【発明を実施するための最良の形態】
【００２４】
次に、図面に基づいて、この発明を実施するための最良の実施の形態の計器用ムーブメントの取付構造について説明する。なお、前記従来例と同一乃至均等な部分については同一符号を付して説明する。
【００２５】
図１乃至図１０は、この発明の最良の実施の形態の計器用ムーブメントの取付構造を示すものである。
【００２６】
まず、全体の構成について、図２乃至図４を用いて説明すると、この実施の形態の計器用ムーブメント１０は、車両に搭載される計器としてのコンビネーションメータ１７内に設けられた計器用回路基板４の裏面側に、装着されるものである。
【００２７】
このコンビネーションメータ１７は、主に、ロアハウジング１８及びアッパハウジング１９によって構成される筐体２０内に、各種指針９等の表示部が設けられた文字盤２１が配設されて構成されている。
【００２８】
この筐体２０の前面側には、図４に示すように、透明合成樹脂製のフロントカバー部材２２が、前記文字盤２１を覆うように、装着されると共に、裏面側には、前記計器用ムーブメント１０が、固着される計器用回路基板４が装着されている。
【００２９】
この計器用ムーブメント１０は、拝合により略密閉されるロアケース１１及びアッパケース１２とからなる合成樹脂製のケーシング部材１３を有している。
【００３０】
このケーシング部材１３内には、図示省略のコア部材と、電力の供給により、コア部材との間で回転駆動力を発生させる電動機と、この電動機の回転駆動力を減速する減速ギヤ…群とが設けられている。
【００３１】
また、このケーシング部材１３には、図４に示すように、指針９を軸支する回動軸部材８が設けられていて、前記減速ギヤと噛み合うファイナルギヤ部材８ａが、一体に固着されている。
【００３２】
そして、前記電動機の回転駆動力が、これらの減速ギヤ群及びファイナルギヤ部材８ａを介して、この回動軸部材８に伝達されて、前記指針９を回動させるように構成されている。
【００３３】
また、前記ケーシング部材１３のうち、アッパケース１２の底面部１２ａ側縁からは、弾性変形可能な合成樹脂製の係止アーム部１４，１４が、ケーシング部材１３から一体となるように、前記計器用回路基板４の方向に向けて、付根側屈曲部１４ａ，１４ａから、約９０度屈曲されて延設されている。
【００３４】
これらの係止アーム部１４，１４の先端には、係止爪部１５，１５が、お互いに外側に向けて突設形成されている。
【００３５】
そして、前記計器用回路基板４に開口形成された一対の係止孔２４ｂ，２４ｂに、裏面側４ａから前記係止アーム部１４，１４を各々挿通させて、前記係止爪部１５，１５が、係止孔２４ｂ，２４ｂ周縁に係止されることにより、このケーシング部材１３が、計器用回路基板４の裏面側４ａに装着されるように構成されている。
【００３６】
この実施の形態の計器用ムーブメントの取付構造では、図５に示すように、前記係止アーム部１４，１４のうち、係止爪部１５，１５が形成された外側面１４ｂ，１４ｂに対して、反対側の内側面１４ｃ，１４ｃに、挿入時の前記係止孔２４ｂ，２４ｂ周縁との干渉を回避する傾斜面部１４ｄ，１４ｄが各々形成されている。
【００３７】
また、この実施の形態の計器用回路基板４の係止孔２４ｂ，２４ｂは、図７及び図９中二点鎖線で、比較して示す従来の係止孔４ｂ，４ｂよりも小さくなるように設定されている。
【００３８】
次に、この実施の形態の計器用ムーブメントの取付構造の作用効果について説明する。
【００３９】
このように構成された実施の形態の計器用ムーブメントの取付構造では、前記計器用回路基板４の裏面側４ａに、前記計器用ムーブメント１０を装着する際、図９に示すように、前記係止アーム部１４のうち、前記係止爪部１５が形成された外側面１４ｂに対して反対側の内側面１４ｃに形成された傾斜面部１４ｄによって、挿入時には、前記係止孔２４ｂの内周縁２４ｃに、この傾斜面部１４ｄが摺接されながらガイドされることにより、円滑に挿入されて、この係止孔２４ｂの周縁部に当接若しくは干渉したり、引っかかる虞が、回避される。
【００４０】
このため、これらの係止孔２４ｂ，２４ｂを比較的小さく設定しても、組み付け性を良好なものとすることが出来る。
【００４１】
従って、図１０に示すように、これらの係止孔２４ｂ，２４ｂに、前記係止アーム部１４，１４の係止爪部１５，１５が係止された状態で、これらの係止孔２４ｂ，２４ｂと、前記係止アーム部１４，１４との間に形成される間隙量を減少させることが出来、計器内部への塵芥の侵入を防止出来る。
【００４２】
また、図１０中に示すように、回動軸部材８と、係止孔２４ｂ，２４ｂとの間の計器用回路基板４上のスペースを広く設定することが可能となり、例えば、照明用のＬＥＤ等を、この回動軸部材８と、係止孔２４ｂ，２４ｂとの間の計器用回路基板４上に装着することが容易である。
【００４３】
従って、回路基板上のスペース効率を向上させることが出来、レイアウトの自由度を向上させることが出来る。
【実施例１】
【００４４】
図１乃至図１０は、この発明の最良の実施の形態の実施例１の計器用ムーブメントの取付構造を示すものである。
【００４５】
なお、前記実施の形態と同一乃至均等な部分については、前記実施の形態と同一符号を付して説明する。
【００４６】
まず、この実施例１の構成を説明すると、この実施例１の計器用ムーブメントの取付構造では、図５に示すように、前記係止アーム部１４，１４が、前記ケーシング部材１３の側面部１３ａ，１３ａに沿って延設されている。
【００４７】
このケーシング部材１３の側面部１３ａ，１３ａには、前記係止アーム部１４，１４の内側面１４ｃ，１４ｃが、弾性変形により当接するストッパ部１３ｂ，１３ｂが、形成されている。
【００４８】
そして、図６に示すように、前記傾斜面部１４ｄの前記係止アーム部１４内側面１４ｃに対する傾斜角度α１を、図８に示すように、前記係止アーム部１４，１４の弾性変形により、前記内側面１４ｃ，１４ｃが、前記ストッパ部１３ｂ，１３ｂに当接するまでの鉛直からの変位角度α２よりも大きく（α１＞α２）なるように設定されている。
【００４９】
このため、弾性変形によりストッパ部１３ｂ，１３ｂに、前記係止アーム部１４内側面１４ｃに当接して停止した状態で、鉛直よりも外側に拡開する所定の正の角度α３（この実施例１では、約０．５度〜３０度）が、得られるように構成されている。
【００５０】
また、図７に示すように、前記前記係止アーム部１４，１４の弾性変形により、前記内側面１４ｃ，１４ｃが、前記ストッパ部１３ｂ，１３ｂに当接されている状態で、係止アーム部１４，１４の先端部１４ｅ，１４ｅは、前記係止孔２４ｂ，２４ｂの各内周縁２４ｃ，２４ｃから、一定距離ｄ１，ｄ１を置いて離間されることにより、係止アーム部１４，１４の先端部１４ｅ，１４ｅが、計器用回路基板４の裏面側４ａに当接等、干渉すること無く、容易に前記係止孔２４ｂ，２４ｂ内に挿入可能となるように構成されている。
【００５１】
このように、この実施例１では、鉛直よりも外側に拡開する所定の正角度α３が、得られるので、図９に示すように、前記係止孔２４ｂ，２４ｂに、係止アーム部１４，１４が挿入される際に、係止孔２４ｂ，２４ｂの各内周縁２４ｃ，２４ｃに、これらの傾斜面部１４ｄ，１４ｄが摺接されて、挿入可能に傾斜されるように構成されている。
【００５２】
また、この各内周縁２４ｃ，２４ｃに、これらの傾斜面部１４ｄ，１４ｄが摺接される反力で、前記ストッパ部１３ｂ，１３ｂから、これらの係止アーム部１４，１４が、離間する方向に弾性変形可能に設定されている。
【００５３】
更に、この実施例１では、図１０に示すように、前記係止アーム部１４，１４の内側面１４ｃ，１４ｃと、前記傾斜面部１４ｄ，１４ｄとを接続する傾斜開始点１４ｆ，１４ｆが、設けられている。
【００５４】
この傾斜開始点１４ｆ，１４ｆは、前記係止爪部１５，１５が、係止孔２４ｂ，２４ｂの周縁部に係止された状態で、これらの係止孔２４ｂ，２４ｂ内に挿入されて、位置するように設定されていて、上面視で、これらの係止アーム部１４，１４及び一体に設けられた係止爪部１５，１５によって、略係止孔２４ｂ，２４ｂの全面積が、僅かな隙間を残して、覆われるように構成されている。
【００５５】
次に、この実施例１の計器用ムーブメントの取付構造の作用効果について説明する。
【００５６】
この実施例１の計器用ムーブメントの取付構造では、前記実施の形態の作用効果に加えて、更に、前記計器用回路基板４の裏面側４ａに、前記計器用ムーブメント１０を装着する際、図７及び図８に示すように、前記係止アーム部１４，１４の外側面１４ａ，１４ａを、外側から機械組や、或いは、作業者による手組を行うため把持して、前記付根側屈曲部１４ａ，１４ａを中心として、前記係止アーム部１４，１４を弾性変形させると、前記内側面１４ｃ，１４ｃに設けられた傾斜開始点１４ｆ，１４ｆが、前記ケーシング部材１３の側面部１３ａ，１３ａに形成されたストッパ部１３ｂ，１３ｂに当接して、内倒方向への移動を停止させる。
【００５７】
また、図７に示すように、前記前記係止アーム部１４，１４の弾性変形により、前記内側面１４ｃ，１４ｃが、前記ストッパ部１３ｂ，１３ｂに当接されている状態で、係止アーム部１４，１４の先端部１４ｅ，１４ｅは、前記係止孔２４ｂ，２４ｂの各内周縁２４ｃ，２４ｃから、一定距離ｄ１，ｄ１を置いて離間されている。
【００５８】
このため、図７に示すように、まず、前記先端部１４ｅ，１４ｅが、係止孔２４ｂ，２４ｂの裏面側４ａの周縁に当接することなく、これらの係止孔２４ｂ，２４ｂ内に挿入されると共に、前記係止爪部１５，１５が形成された外側面１４ｂ，１４ｂに対して、反対側の内側面１４ｃ，１４ｃに形成された傾斜面部１４ｄ，１４ｄが、前記係止孔２４ｂ，２４ｂの内周縁２４ｃ，２４ｃに、摺接されながら、ガイドされることにより、円滑に挿入されて、この係止孔２４ｂ，２４ｂの周縁部に干渉したり、引っかかる虞が、回避される。
【００５９】
よって、これらの係止孔２４ｂ，２４ｂを比較的小さく設定しても、組み付け性を良好なものとすることが出来る。
【００６０】
また、この実施例１では、前記傾斜面部１４ｄ，１４ｄの傾斜角度α１が、前記係止孔２４ｂ，２４ｂに、これらの係止アーム部１４，１４が挿入される際に、図９に示すように、前記内周縁２４ｃ，２４ｃに、前記傾斜面部１４ｄ，１４ｄが摺接されながら、挿入されると、前記ストッパ部１３ｂ，１３から、合成樹脂製の係止アーム部１４，１４が、離間する方向に向けて弾性変形されて、拡開し、円滑な挿入が妨げられることがない。
【００６１】
このため、例えば、機械組や、或いは、作業者による手組で、組み立て作業を行う際に、前記係止アーム部１４，１４を、弾性変形させて、前記ストッパ部１３ｂ，１３ｂに当接させるように、外側面１４ｂ，１４ｂ側から把持したままでも、挿入時に、前記係止孔２４ｂ，２４ｂの内周縁２４ｃ，２４ｃに、前記傾斜面部１４ｄ，１４ｄに摺接することで、離間方向に弾性変形しながら、係止アーム部１４，１４間が拡開して挿入可能である。
【００６２】
従って、機械組や、或いは、作業者による手組の何れの方法で、同様に組み付けることが出来、更に、組み付け性を良好なものとすることができる。
【００６３】
このように、これらの係止孔２４ｂ，２４ｂに、前記係止アーム部１４，１４の係止爪部１５，１５が係止された状態では、図１０に示されるように、これらの係止孔２４ｂ，２４ｂと、前記係止アーム部１４，１４との間に形成される間隙量を減少させることが出来、計器内部への塵芥の侵入を防止出来る。
【００６４】
他の構成及び作用効果については、前記実施の形態と同一乃至均等であるので、説明を省略する。
【００６５】
以上、図面を参照して、本発明の実施の形態を詳述してきたが、具体的な構成は、この実施の形態に限らず、本発明の要旨を逸脱しない程度の設計的変更は、本発明に含まれる。
【００６６】
即ち、前記実施例１では、、前記傾斜面部１４ｄの前記係止アーム部１４の内側面１４ｃに対する傾斜角度α１を、図８に示すように、前記係止アーム部１４，１４の弾性変形により、前記内側面１４ｃ，１４ｃが、前記ストッパ部１３ｂ，１３ｂに当接するまでの鉛直からの変位角度α２よりも大きく（α１＞α２）なるように設定しているが、特にこれに限定されるものではなく、挿入時の前記係止孔２４ｂ，２４ｂ周縁との当接や干渉が回避できる角度であれば、どのような傾斜角度α１に設定されていてもよく、傾斜面が湾曲、若しくは多段となっていてもよい。
【図面の簡単な説明】
【００６７】
【図１】この発明の最良の実施の形態の計器用ムーブメントの取付構造で、計器用回路基板に、計器用ムーブメントを装着する様子を説明する分解斜視図である。
【図２】実施の形態の計器用ムーブメントの取付構造が用いられるコンビネーションメータの正面図である。
【図３】実施の形態の計器用ムーブメントの取付構造が用いられるコンビネーションメータの背面図である。
【図４】実施の形態の計器用ムーブメントの取付構造が用いられるコンビネーションメータで、内部の構成を説明する図２中Ａ−Ａ線に沿った位置での断面図である。
【図５】実施の形態の実施例１の計器用ムーブメントで、構成を説明するケーシング部材の側面図である。
【図６】実施の形態の実施例１の計器用ムーブメントで、要部の構成を説明する拡大側面図である。
【図７】実施の形態の実施例１の計器用ムーブメントの取付構造で、装着の様子を説明する一部断面分解図である。
【図８】実施の形態の実施例１の計器用ムーブメントの取付構造で、装着時の状態を説明する拡大側面図である。
【図９】実施の形態の実施例１の計器用ムーブメントの取付構造で、係止孔に係止アーム部が挿入されている状態での一部断面図である。
【図１０】実施の形態の実施例１の計器用ムーブメントの取付構造で、ケーシング部材が装着された状態を説明する一部断面図である。
【図１１】従来例の計器用ムーブメントの取付構造で、構成を説明する分解側面図である。
【図１２】従来例の計器用ムーブメントの取付構造で、装着時の要部の拡大断面図である。
【図１３】従来例の計器用ムーブメントの取付構造で、全体の構成を説明する斜視図である。
【図１４】従来例の計器用ムーブメントの取付構造で、図１３中Ｚ矢視方向から見た平面図である。
【符号の説明】
【００６８】
１０                  計器用ムーブメント
１１                  ロアケース
１２                  アッパケース
１３                  ケーシング部材
１３ａ                側面部
１３ｂ                ストッパ部
１４                  係止アーム部
１４ｂ                外側面
１４ｃ                内側面
１４ｄ                傾斜面部
１７                  コンビネーションメータ（計器）
２４ｂ                係止孔
２４ｃ                内周縁
【図１】
2007316015.tif 000003
【図２】
2007316015.tif 000004
【図３】
2007316015.tif 000005
【図４】
2007316015.tif 000006
【図５】
2007316015.tif 000007
【図６】
2007316015.tif 000008
【図７】
2007316015.tif 000009
【図８】
2007316015.tif 000010
【図９】
2007316015.tif 000011
【図１０】
2007316015.tif 000012
【図１１】
2007316015.tif 000013
【図１２】
2007316015.tif 000014
【図１３】
2007316015.tif 000015
【図１４】
2007316015.tif 000016